(57)【要約】 【課題】  リード端子板と外装材との絶縁性を向上した電気二重層キャパシタを提供する。【解決手段】  電気二重層キャパシタ１のリード端子板４の突出する端部１１において、端部１１に絶縁部１２を形成する。絶縁部１２は、外装材６をハーフカットすることにより内面側の絶縁樹脂層９及び粘着層１０のみを残し、アルミ箔８及び外面側の絶縁樹脂層７を切除して形成する。このため、リード端子板４の突出する端部１１でのリード端子板４とアルミ箔８等の金属箔との絶縁距離が十分に取ることができ、絶縁性が向上する。【選択図】  図３
2008198630.tif 000002
【特許請求の範囲】
【請求項１】
金属箔層と絶縁樹脂層からなるシート状の外装材を用いて、電気二重層キャパシタ本体をその両極の集電体から延伸する一対のリード端子板の各一端を突出させて内封する構造の電気二重層キャパシタにおいて、前記外装材は、前記一対のリード端子板の突出する端部において、前記リード端子が突出する側に内面側の前記絶縁樹脂層が延在されてなる絶縁部を有することを特徴とする電気二重層キャパシタ。
【請求項２】
前記外装材は、金属箔層の両面に絶縁樹脂層を積層した構造であり、前記端部において、前記絶縁部は、前記外装材の内面側の前記絶縁樹脂層を残し、前記金属箔層を除去することにより形成されることを特徴とする請求項１記載の電気二重層キャパシタ。
【発明の詳細な説明】
【技術分野】
【０００１】
本発明は、外装材を用いてキャパシタ素子等を内封する構造を有する電気二重層キャパシタに関する。
【背景技術】
【０００２】
従来より、電気二重層キャパシタは、充放電サイクルに伴う容量の劣化が少なく、起動後に瞬時に大きな出力を取り出せる等の特徴を有するため、メモリーバックアップ電源や自動車を始めとするパワー系電源用途等として開発され、実用化されている。
【０００３】
図４は、従来の電気二重層キャパシタ１００の断面図である。図４に示すように、従来の電気二重層キャパシタ１００は、キャパシタセル２が一層、または複数層積層させたキャパシタ素子３を、アルミラミネート材等の外装材１０６で被覆した構造をとっている。このキャパシタセル２の一層中には、シート状の導電体からなる集電体２４と、集電体２４の表面に活性炭を主とする分極性電極層を形成した一対の正極電極２１及び負極電極２２が配置され、一対の正極電極２１及び負極電極２２の間に挟まれるようにポリプロピレン不織布等からなるセパレータ２３が配置され、電解液で含浸される。また、キャパシタ素子３から外部に電流を取り出す必要があるため、正極及び負極の集電体２４に接続された正負一対のリード端子板４の一端を外装材１０６から突出させている（特許文献１参照）。
【０００４】
図５は、従来の電気二重層キャパシタ１００のリード端子板４の突出する端部１１１の断面図である。外装材１０６は、絶縁樹脂層７、アルミ箔８、絶縁樹脂層９及び粘着層１０から構成される。図５に示すように、従来の電気二重層キャパシタ１００の、リード端子板４の突出する端部１１１において、外装材１０６は、リード端子板４に直接粘着され、被覆されている。外装材１０６の内部層のアルミ箔８の端部には露出箇所１１３が存在しており、リード端子板４とアルミ箔８との絶縁距離は、外装材１０６の内面側の絶縁樹脂層９の厚みに大きく依存している。
【０００５】
【特許文献１】特開２００６−０２４６６０号公報
【発明の開示】
【発明が解決しようとする課題】
【０００６】
アルミ箔８を切断等の方法により加工する際、まれに、アルミ箔８の加工面がだれたり、曲がったりすることがある。端部１１１は、端面にアルミ箔８の露出箇所１１３が存在しているため、このアルミ箔８の加工面の形状によっては、電気二重層キャパシタ１００を製造する工程の真空封止（ラミネート）時に、リード端子板４と外装材１０６とが短絡してしまう恐れがあった。更に、アルミ箔８を介して両極のリード端子板４が短絡してしまうこともあった。
【０００７】
本発明はこのような問題に鑑みてなされたもので、リード端子板と外装材との絶縁性を向上させた電気二重層キャパシタを提供することを目的とする。
【課題を解決するための手段】
【０００８】
前述した目的を達成するために、第１の発明は、金属箔層と絶縁樹脂層からなるシート状の外装材を用いて、電気二重層キャパシタ本体をその両極の集電体から延伸する一対のリード端子板の各一端を突出させて内封する構造の電気二重層キャパシタにおいて、前記外装材は、前記一対のリード端子板の突出する端部において、前記リード端子が突出する側に内面側の前記絶縁樹脂層が延在されてなる絶縁部を有することを特徴としている。
【０００９】
また、第１の発明において、前記外装材は、金属箔層の両面に絶縁樹脂層を積層した構造であり、前記端部において、前記絶縁部は、前記外装材の内面側の前記絶縁樹脂層を残し、前記金属箔層を除去することにより形成される。
【発明の効果】
【００１０】
本発明によれば、リード端子板と外装材との絶縁性を向上した電気二重層キャパシタを提供することができる。
【発明を実施するための最良の形態】
【００１１】
以下図面に基づいて、本発明の実施の形態を詳細に説明する。
【００１２】
図１は、本発明の実施の形態に係る電気二重層キャパシタ１の断面図である。図１に示すように、電気二重層キャパシタ１は、キャパシタセル２を一層、または複数層積層させたキャパシタ素子３を、アルミラミネート材等の外装材６で被覆した構造とする。
【００１３】
この一つのキャパシタセル２中には、シート状の導電体からなる集電体２４と、集電体２４の表面に活性炭を主とする分極性電極層を形成した一対の正極電極２１及び負極電極２２と、一対の正極電極２１及び負極電極２２の間に挟まれたポリプロピレン不織布等からなるセパレータ２３が配置され、電解液で含浸される。また、キャパシタ素子３から外部に電流を取り出す必要があるため、正極及び負極の集電体２４に接続された正負一対のリード端子板４の一端を外装材１０６から突出させる。以下の説明において、外装材６によって内封されるキャパシタ素子３、導電剤５及びリード端子板４でできた構成物を電気二重層キャパシタ本体と呼ぶ。また、本発明の電気二重層キャパシタ１には、リード端子板４の突出する端部１１において、絶縁部１２を備える。
【００１４】
図２は電気二重層キャパシタ１の外装材６の断面図、図３は電気二重層キャパシタ１のリード端子板４を突出させた端部１１における断面図である。図２及び図３を参照して、図１の電気二重層キャパシタ１の外装材６とその端部１１について説明する。
【００１５】
外装材６には金属箔層の両面を絶縁樹脂層にて積層したものを用いる。例えば、図２に示すように、アルミ箔８の両面を絶縁樹脂層７及び絶縁樹脂層９にて積層したアルミラミネート材を用いる。絶縁樹脂層９のアルミ箔８側と反対の面には粘着層１０を形成させる。絶縁樹脂層７の素材としては、例えばナイロン等の樹脂を使用し、絶縁樹脂層９の素材としては、例えばポリエチレンテレフタレート等の樹脂を使用し、粘着層１０の素材としては、例えばアイオノマー等の樹脂を使用する。絶縁樹脂層９により、アルミ箔８と被覆体である電気二重層キャパシタ素子本体との絶縁性が、また、絶縁樹脂層７により、アルミ箔８と外部との絶縁性が図られる。
【００１６】
この外装材６の絶縁樹脂層９を内面側、絶縁樹脂層７を外面側とし、粘着層１０にて電気二重層キャパシタ本体に粘着させることで、電気二重層キャパシタ本体を被覆し、ラミネートする。
【００１７】
次に、リード端子板４の突出する端部１１について説明する。図３に示すように、リード端子板４を、外装材６と、リード端子板４が突出する側に絶縁樹脂層９と粘着層１０とでできた、絶縁部１２とによって被覆する。
【００１８】
この絶縁部１２は、外装材６の一端をハーフカットして内面側の絶縁樹脂層９及び粘着層１０のみを残し、アルミ箔８及び外面側の絶縁樹脂層７を切除することにより容易に形成することができる。このようにすると、端部１１にはアルミ箔８が除去された絶縁部１２が形成されるため、リード端子板４の露出する端部１１では、リード端子板４とアルミ箔８との絶縁距離を十分に取ることができる。
【００１９】
以上説明したように、金属箔層を有する外装材６を用いて電気二重層キャパシタ本体を両極のリード端子板４を突出させて内封する構造の電気二重層キャパシタ１において、外装材６の端部１１にアルミ箔８等の金属箔を除去した絶縁部１２を形成することにより、端部１１において、アルミ箔８等の金属箔が露出個所１３とリード端子板４との距離が十分保つことが出来るようになり、リード端子板４と外装材６との絶縁性を向上させることができる。その結果、アルミ箔８等の金属箔を介した両極のリード端子板４の短絡を防止でき、安全性を向上できる。また、薄いラミネートフィルムを用いた場合にも、短絡の危険性を回避し、アルミ箔８等の金属箔の加工面の形状に左右されることなく外装材６を被覆することができるため、アルミ箔８等の金属箔の加工が容易となる。
【００２０】
なお、本実施の形態では、電気二重層キャパシタとして、複数のキャパシタセルを積層した構造のものを一例として示したが、この構造のものに限るものではなく、例えば、キャパシタ素子を巻回して構成される電気二重層キャパシタや、その他の構造の電気二重層キャパシタに適用されるものとしてもよい。
【００２１】
以上図面を参照しながら本発明に係る電気二重層キャパシタの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００２２】
【図１】本発明の実施の形態に係る電気二重層キャパシタの断面図。
【図２】電気二重層キャパシタの外装材の断面図。
【図３】電気二重層キャパシタのリード端子板を突出させた端部における断面図。
【図４】従来の電気二重層キャパシタの断面図。
【図５】従来の電気二重層キャパシタのリード端子板を突出させた端部における断面図。
【符号の説明】
【００２３】
１、１００    電気二重層キャパシタ
２    キャパシタセル
３    キャパシタ素子
４    リード端子板
５    導電剤
６、１０６    外装材
７、９    絶縁樹脂層
８    アルミ箔
１０    粘着層
１１、１１１    端部
１２    絶縁部
１３、１１３    露出箇所
２１    正極電極
２２    負極電極
２３    セパレータ
２４    集電体
【図１】
2008198630.tif 000003
【図２】
2008198630.tif 000004
【図３】
2008198630.tif 000005
【図４】
2008198630.tif 000006
【図５】
2008198630.tif 000007